(57)【要約】      （修正有）【課題】  蛍光体スクリーン上の、水平／垂直方向のスポット径が共に局所的に大きくならず、水平方向のスポット径が従来の電子ビームより小さい電子ビームを用いることで、カラーブラウン管装置の画質を向上させる。【解決手段】  カラーブラウン管装置の構成を、バルブと、蛍光体スクリーンと、電子銃と、偏向器とを含み、フォーカス電極１３、第１の電界補正電極１５、アノード電極１４及び第２の電界補正電極１６が、フォーカス電極１３及び第１の電界補正電極１５へのフォーカス電圧の印加並びにアノード電極１４及び第２の電界補正電極１６へのフォーカス電圧より高いアノード電圧の印加により、フォーカス電極１３の内部において水平方向に垂直な垂直方向の集束力が水平方向の集束力より強く、かつアノード電極１４の内部において垂直方向の発散力が水平方向の発散力より強い電子レンズを形成する構成とする。【選択図】  図１
2005332675.tif 000002
【特許請求の範囲】
【請求項１】
フェースパネルとファンネルとを有するバルブと、
前記フェースパネルの内面に設けられた蛍光体スクリーンと、
前記バルブの内部に設けられ、水平方向に配列させたセンター電子ビーム及び一対のサイド電子ビームからなる３電子ビームを発生する電子ビーム発生部と、前記３電子ビームの進行方向に沿って前記電子ビーム発生部側から順次に配設されたフォーカス電極及びアノード電極と、前記フォーカス電極の内部に配設された第１の電界補正電極と、前記アノード電極の内部に配設された第２の電界補正電極とを有する電子銃と、
前記ファンネルの外縁に設けられ、前記電子銃から射出する前記３電子ビームを偏向させる偏向器とを含むカラーブラウン管装置であって、
前記フォーカス電極が、前記水平方向に長軸を有し、かつ垂直方向に短軸を有する前記３電子ビームに共通の非円形の開孔を前記アノード電極側の端部に有する筒状構造体であり、
前記アノード電極が、前記水平方向に長軸を有し、かつ前記垂直方向に短軸を有する前記３電子ビームに共通の非円形の開孔を前記フォーカス電極側の端部に有する筒状構造体であり、
前記フォーカス電極、前記第１の電界補正電極、前記アノード電極及び前記第２の電界補正電極が、前記フォーカス電極及び前記第１の電界補正電極へのフォーカス電圧の印加並びに前記アノード電極及び前記第２の電界補正電極への前記フォーカス電圧より高いアノード電圧の印加により、前記フォーカス電極の内部において前記垂直方向の集束力が前記水平方向の集束力より強く、かつ前記アノード電極の内部において前記垂直方向の発散力が前記水平方向の発散力より強い、前記蛍光体スクリーン上に前記３電子ビームを集束させる主レンズを形成することを特徴とするカラーブラウン管装置。
【請求項２】
前記第１の電界補正電極が、前記３電子ビームに対応して前記水平方向に配列させた３つの開孔を有し、前記フォーカス電極の内部において前記３電子ビームの進行方向を法線とする平面に平行に配置された板状電極であり、
前記第１の電界補正電極における前記３つの開孔のうち前記一対のサイド電子ビームに対応する２つのサイド孔の各々の形状は、前記水平方向の開口最大径が前記垂直方向の開口最大径より大きい非円形であり、
前記水平方向の開口最大径に対する前記垂直方向の開口最大径の比率を開口比率として、前記２つのサイド孔の各々の開口比率が、前記第１の電界補正電極における前記３つの開孔のうち前記センター電子ビームに対応するセンター孔の開口比率より小さい請求項１に記載のカラーブラウン管装置。
【請求項３】
前記第２の電界補正電極が、前記アノード電極の内部において前記水平方向及び前記３電子ビームの進行方向を含む平面に平行に配置された一対の板状電極であり、前記一対の板状電極の間を前記３電子ビームが通過する請求項１に記載のカラーブラウン管装置。
【請求項４】
前記第２の電界補正電極が、前記３電子ビームに対応して前記水平方向に配列させた３つの開孔を有し、前記アノード電極の内部において前記３電子ビームの進行方向を法線とする平面に平行に配置された板状電極であり、
前記第２の電界補正電極における前記３つの開孔のうち前記一対のサイド電子ビームに対応する２つサイド孔の各々の形状が、前記水平方向の開口最大径が前記垂直方向の開口最大径より大きい非円形であり、
前記水平方向の開口最大径に対する前記垂直方向の開口最大径の比率を開口比率として、前記２つのサイド孔の各々の開口比率が、前記第２の電界補正電極における前記３つの開孔のうち前記センター電子ビームに対応するセンター孔の開口比率より小さい請求項１に記載のカラーブラウン管装置。
【請求項５】
前記電子銃の前記電子ビーム発生部が、前記３電子ビームを放出するカソード電極と、前記３電子ビームに対応する３つの開孔を有し、前記カソード電極における前記３電子ビームの発生を制御する制御電極と、前記３電子ビームに対応する３つの開孔を有し、前記３電子ビームを加速する加速電極とを備え、
前記制御電極が、前記加速電極側に、前記制御電極における前記３つの開孔の各々の周縁に１つずつ形成された３つの凹部を有し、
前記加速電極への前記フォーカス電圧より低い加速電圧の印加及び前記制御電極への前記加速電圧より低い制御電圧の印加により、前記主レンズに入射する前記３電子ビームの各々の断面形状を前記水平方向の最大径が前記垂直方向の最大径より大きい形状に成形する請求項１に記載のカラーブラウン管装置。
【請求項６】
前記制御電極が、前記３電子ビームの進行方向を法線とする平面に平行に配置された板状電極であり、
前記制御電極における前記３つの開孔の各々が、前記垂直方向の長さより前記水平方向の長さが大きい形状であり、
前記制御電極における前記３つの凹部の各々が、前記水平方向の長さより前記垂直方向の長さが大きい形状である請求項５に記載のカラーブラウン管装置。
【請求項７】
前記加速電極が、前記３電子ビームの進行方向を法線とする平面に平行に配置された板状電極であり、
前記加速電極が、前記制御電極側に、前記加速電極における前記３つの開孔の各々の周縁に１つずつ形成された３つの凹部を有し、
前記加速電極における前記３つの凹部の各々が、前記垂直方向の長さより前記水平方向の長さが大きい形状である請求項５に記載のカラーブラウン管装置。
【請求項８】
前記加速電極及び前記フォーカス電極が、前記フォーカス電極への前記フォーカス電圧の印加及び前記加速電極への前記加速電圧の印加により、水平方向の集束力より垂直方向の集束力が大きい、前記３電子ビームを予備集束させるプリフォーカスレンズを形成する請求項５に記載のカラーブラウン管装置。
【請求項９】
前記加速電極が、前記３電子ビームの進行方向を法線とする平面に平行に配置された板状電極であり、
前記加速電極が、前記フォーカス電極側に、前記加速電極における前記３つの開孔の各々の周縁に１つずつ形成された前記垂直方向の長さより前記水平方向の長さが長い３つの凹部を有する請求項５に記載のカラーブラウン管装置。
【請求項１０】
前記フォーカス電極が、前記加速電極側の端部に形成された前記３電子ビームに対応する３つの開孔を有し、かつ前記加速電極側に、前記フォーカス電極の前記３つの開孔の各々の周縁に１つずつ形成された前記水平方向の長さより前記垂直方向の長さが長い３つの凹部を有する請求項５に記載のカラーブラウン管装置。
【発明の詳細な説明】
【技術分野】
【０００１】
本発明は、カラーブラウン管装置に関する。特に、カラーブラウン管装置に好適な電子銃に関する発明である。
【背景技術】
【０００２】
従来の典型的なカラーブラウン管装置について、図１１を参照しながら説明する。図１１は、カラーブラウン管装置の全体構造を表す水平断面図である。カラーブラウン管装置は、図１１に示されたように、一体に接合されたパネル１及びファンネル２からなるバルブの内部空間に、シャドウマスク３、蛍光体スクリーン４及び電子銃６が設けられている。また、バルブの外縁には、偏向ヨーク８が設けられている。蛍光体スクリーン４は、パネル内面に形成された赤、緑、青に発光する３色の蛍光体層を含む。電子銃６は、ファンネル２のネック５の内部空間に配置され、３電子ビーム（青色蛍光体層用の電子ビーム７Ｂ、緑色発光体層用の電子ビーム７Ｇ及び赤色発光体層用の電子ビーム７Ｒ）を蛍光体スクリーン４に向けて射出する。シャドウマスク３は、蛍光体スクリーン４と所定の間隔を隔てて対向するように配置されている。電子銃６から放出される３電子ビーム(７Ｂ、７Ｇ、７Ｒ)を偏向ヨーク８の発生する磁界により偏向させて、蛍光体スクリーン４を水平、垂直走査することにより、この蛍光体スクリーン４にカラー画像を表示させる。
【０００３】
このようなカラーブラウン管装置のうち、電子銃６として同一水平面上を通るセンタービーム及び一対のサイドビームからなる一列配置の３電子ビームを射出するインライン型電子銃を備え、かつ偏向ヨーク８として水平偏向磁界を糸巻型磁界、垂直偏向磁界を樽型磁界とする非斉一磁界（セルフコンバージェンス磁界）を発生する偏向ヨーク８とを備えた３電子ビームを自己集中するインライン型カラーブラウン管装置が一般的である。
【０００４】
インライン型電子銃としては、各種方式のものがあるが、その一種にＢＰＦ（Bi-Potential Focus）型といわれる電子銃がある。また、インライン型電子銃の主レンズ構造についても各種方式のものがあるが、その一種として重畳電界型と呼ばれるものがある。ここで、従来の典型的な重畳電界型の主レンズを備えたＢＰＦ型電子銃の構造について、図１２〜図１５を参照しながら説明する。
【０００５】
図１２（ａ）が、従来の電子銃の全体構造の模式的な水平断面を表し、１２図（ｂ）が、その模式的な垂直断面を表している。従来の典型的なＢＰＦ型電子銃は、図１２（ａ）及び図１２（ｂ）に示されたように、一列配置の３個のカソード電極１１７から蛍光体スクリーンの方向（図中の右方向）に順次配置された第１グリッド１１１、第２グリッド１１２、第３グリッド１１３及び第４グリッド１１４を含む構成である。
【０００６】
３個のカソード電極１１７の各々から電子ビームが放出される。第１グリッド１１１には、上記の一列配置の３個のカソード１１７から射出される３つの電子ビームに対応した３個の電子ビーム通過孔１１８が形成されている。また、第２グリッド１１２にも、上記の一列配置の３個のカソード１１７から射出される３つの電子ビームに対応した３個の電子ビーム通過孔１２８が形成されている。カソード１１７、第１グリッド１１１及び第２グリッド１１２により、電子ビームを発生し、主レンズに対する仮想物点を形成する３極部が構成される。
【０００７】
第３グリッド１１３には、電子ビームが入射する側の端部すなわち第２グリッド１１２と相対する部分に３個の電子ビーム通過孔が形成され、第３グリッド１１３から電子ビームが射出する側（射出側）の端部すなわち第４グリッド１１４と相対する部分には、３個の電子ビームに共通の電子ビーム通過孔が形成されている。図１３は、ビーム下流側の第３グリッドの構造を部分的に表す模式的な半透視斜視図である。図１３に示されたように、射出側の端部には、３電子ビームの配列方向に長軸を持つ長円形の３電子ビームに共通な電子ビーム通過孔が形成されている。
【０００８】
第３グリッド１１３の内部には、図１３に示されたように、３個の電子ビーム通過孔１４８Ｂ、１４８Ｇ及び１４８Ｒの形成された電界補正電極１２５が配置されている。
【０００９】
第４グリッド１１４には、電子ビームが入射する側（入射側）の端部すなわち第３グリッド１１３と相対する部分に３電子ビームに共通の電子ビーム通過孔が形成され、電子ビームが射出する側（射出側）の端部に３個の電子ビーム通過孔が形成されている。図１４は、ビーム下流側の第４グリッドの構造を部分的に表す模式的な半透視斜視図である。図１４に示されたように、入射側の端部には、３電子ビームの配列方向に長軸を持つ長円形の３電子ビームに共通な電子ビーム通過孔が形成されている。
【００１０】
第４グリッド１１４の内部には、図１４に示されたように、３個の電子ビーム通過孔１８８Ｂ、１８８Ｇ、１８８Ｒの形成された電界補正電極１２６が配置されている。なお、第３グリッド１１３及び第４グリッド１１４の各々に形成されるの３電子ビームに共通の電子ビーム通過孔は、双方とも同一形状とすることが一般的である。
【００１１】
この電子銃では、第１グリッド１１１にはカソード１１７より低い電圧が印加され、第２グリッド１１２には第１グリッド１１１より高い電圧が印加され、第３グリッド１１３には第２グリッド１１２より高い電圧が印加され、第４グリッド１１４には第３グリッド１１３より高い電圧が印加される。例えば、カソード１１７には約５０Ｖ〜１００Ｖの電圧が印加され、第１グリッド１１１は電気的には接地（０Ｖ）され、第２グリッド１１２には約６００Ｖが印加され、第３グリッド１１３には約８ｋＶの電圧が印加され、第４グリッド１１４には約３０ｋＶの高電圧が印加される。
【００１２】
電子光学的な観点からは、この電子銃には、第２グリッド１１２と第３グリッド１１３とによって、３極部から射出される電子ビームを予備集束させるプリフォーカスレンズが形成され、また、第３グリッド１１３と電界補正電極１２５と第４グリッド１１４と電界補正電極１２６とによって、電子ビームを最終的に蛍光体スクリーン４上に集束させる重畳電界型のＢＰＦ主レンズが形成されていることとなる。
【００１３】
この構成の場合、第３グリッド１１３と第４グリッド１１４とが対向する部分すなわち第３グリッド１１３の射出側の端部及び第４グリッド１１４の入射側の端部が、それぞれ、垂直方向の長さより水平方向の長さの大きな開口を有していることによって、電界が第３グリッド１１３側及び第４グリッド１１４側に浸透する。第３グリッド１１３側に浸透した電界は、水平方向の集束力が垂直方向の集束力より弱い電子レンズを形成する。しかし、電界補正電極１２５が、図１３に示されたように、水平方向の開口最大径より垂直方向の開口最大径が大きな縦長の電子ビーム通過孔１４８Ｒ、１４８Ｇ及び１４８Ｂを有することによって、水平方向の集束力より垂直方向の集束力を相対的に大きく弱める電界補正が行われる。これにより、最終的には、第３グリッド１１３の内部に、水平方向の集束力と垂直方向の集束力が略同一である電子レンズが形成される。第３グリッド１１３の開口を有することによる電界の集束力は、インライン配列した３電子ビームのセンタービームとサイドビームとで異なる。これを補償するために、一般的には、第３グリッド１１３内の電界補正電極１２５において、図１３に示されたように、電子ビーム通過孔１４８Ｇの開口比率（垂直方向の開口最大径／水平方向の開口最大径）よりも電子ビーム通過孔１４８Ｒ及び１４８Ｂの開孔比率を小さくする。
【００１４】
一方、第４グリッド１１４側に浸透した電界は、水平方向の発散力が垂直方向の発散力より弱い電子レンズを形成する。しかし、電界補正電極１２６が、図１４に示されたように、水平方向の開口最大径より垂直方向の開口最大径が大きな縦長の電子ビーム通過孔１８８Ｒ、１８８Ｇ及び１８８Ｂを有することによって、水平方向の発散力より垂直方向の発散力を相対的に大きく弱める電界補正が行われる。これにより、最終的には、第４グリッド１１４の内部に、水平方向の集束力と垂直方向の集束力が略同一である電子レンズが形成される。この電子レンズにおいても、インライン配列した３電子ビームのセンタービームとサイドビームとに対する発散力が異なる現象が発生する。これを補償するために、一般的には、第４グリッド１１４内の電界補正電極１２６において、図１４に示すように、電子ビーム通過孔１８８Ｇの開口比率よりも電子ビーム通過孔１８８Ｒ及び１８８Ｂの開口比率を小さくする。
【００１５】
ところで、カラーブラウン管装置の画質を向上させるためには、蛍光体スクリーン上でのフォーカス特性を良好にすること、すなわち、蛍光体スクリーンの全領域において電子ビームの水平方向のスポット径及び垂直方向のスポット径を小さくすることが望まれる。蛍光体スクリーン４において、電子ビームの水平方向及び垂直方向のスポット径が最も大きくなるのは蛍光体スクリーンの周辺領域であり、この周辺領域におけるスポット径の増大が画質劣化を招く最も大きな要因となっていた。したがって、周辺領域における水平方向及び垂直方向のスポット径の増大を緩和することは、画質を改善する有効な方法となる。また、蛍光体スクリーン上において、電子ビームは、コアとヘイズとで構成されている。図１５は、蛍光体スクリーン上における電子ビームのスポット形状をあらわす模式的な平面図である。図１５に示されたような電子ビームのヘイズ（図中の点線）は、偏向ヨークで発生させる偏向磁場を通過する際の偏向収差に起因して発生するため、蛍光体スクリーン上の周辺領域において、その発生が顕著となる。なお、ヘイズは、コア（図中の実線）に対して垂直方向（垂直軸方向）のスポット径を拡大するように発生する。したがって、このヘイズの発生は、画質劣化を招く要因となっていた。
【００１６】
近年において、蛍光体スクリーンにおける周辺領域の電子ビームのスポット径を小さくする方法として、蛍光体スクリーンの中央領域において電子ビームを水平方向にジャストフォーカスさせた場合の水平方向のジャストフォーカス電圧が、蛍光体スクリーンの中央領域において垂直方向にジャストフォーカスさせた場合の垂直方向のジャストフォーカス電圧よりも１０００Ｖ〜１００Ｖの範囲内で高くなる構成とし、作動時のフォーカス電圧として、水平方向のジャストフォーカス電圧と垂直方向のジャストフォーカス電圧との中間の電圧を印加する方法が知られている。この方法であれば、電子ビームが蛍光体スクリーンの周辺領域に到達した場合の偏向収差によるフォーカス劣化を蛍光体スクリーン全体に分散させ、蛍光体スクリーン４上の局所的なフォーカス劣化を抑制することができる。しかし、この方法のみによって得られる電子ビームは、図１５に示されたように、蛍光体スクリーンの周辺領域で、電子ビームのスポットが水平方向に長いコアとコアの上下に発生するヘイズを有することとなり、更なる改善が求められていた。
【００１７】
蛍光体スクリーンの周辺領域における電子ビームのスポット径を小さくする方法としては、偏向ヨークの偏向収差の影響を出来るだけ軽減するために、偏向磁界中を通過する電子ビームの垂直方向のスポット径を小さくする方法が知られている。この方法であれば、偏向磁界によって発生する蛍光体スクリーンの周辺領域における電子ビームのスポットに発生する垂直方向のヘイズを軽減することができる。これを実現するための具体的な構成例について、図１６を参照して説明する。図１６は、第２グリッドの構造を表す模式的な斜視図である。図１６に示されたように、プリフォーカスレンズを形成する第２グリッド１１２が、電子ビーム通過孔１２８の周辺に凹部１２９を備えた構成が一般的である。なお、この構成の場合、電子銃側から主レンズに入射する電子ビームの垂直方向のスポット径をできるだけ小さくすることが求められ、電子ビームに対する制限が厳しくなる。更に、この方法では、電子ビームの水平方向のスポット径を改善することはできない。
【００１８】
蛍光体スクリーン上における電子ビームの水平方向のスポット径を小さく形成する方法としては、主レンズの水平方向の実効レンズ口径を拡大する方法が一般的に知られている。主レンズの水平方向の実効レンズ口径を拡大する方法として、主レンズから電子ビームが射出する出口付近に、４極子レンズを形成する電界補正電極を配置することによって、出口付近における主レンズの水平方向の発散力を垂直方向の発散力より弱くし、主レンズの水平方向の実効レンズ口径を拡大する方法が知られている（例えば、特許文献１参照）。しかしながら、この方法では、蛍光体スクリーンの中央領域において電子ビームを水平方向にジャストフォーカスさせた場合の水平方向のジャストフォーカス電圧が上昇し、水平方向のジャストフォーカス電圧と蛍光体スクリーンの中央領域において電子ビームを垂直方向にジャストフォーカスさせた場合の垂直方向のジャストフォーカス電圧との差が拡大する。その結果として、電子ビームの垂直方向のスポット径が拡大し、画質が改善されない。電子ビームの水平方向のジャストフォーカス電圧と垂直方向のジャストフォーカス電圧との差を縮小させるためには、電子ビームが主レンズに入射する前に、４極子電子レンズを通過させる等の方法もあるが、新たに４極子レンズを構成する電極を追加し、かつ新たな電極に電位を与えるための構成が新たに必要となり、コスト上昇を招くこととなる。更に、この方法に従って、主レンズの前段に４極子電子レンズを配置し、電子ビームの水平方向と垂直方向のフォーカス電圧差を１００Ｖ〜１０００Ｖ以下の範囲内とし、主レンズの水平方向の実効口径を拡大したとしても、主レンズの垂直方向の実効口径は大幅に小さくなる。したがって、垂直方向のレンズ収差が増大し、電子ビームの垂直方向のスポット径が拡大する。
【００１９】
上記の特許文献１に開示された技術を用いた場合に発生する、電子ビームの垂直方向のスポット径が拡大する問題を解決する方法として、制御電極の電子ビーム通過孔の形状を水平方向が垂直方向より長い長方形とし、かつ電子ビームが通過する加速電極の電子ビーム通過孔の形状を円形とすることによって、水平方向の仮想物点径を大きく、垂直方向の仮想物点径を小さく形成する方法が知られている（例えば、特許文献２参照）。この方法であれば、電子ビームの水平方向のスポット径が拡大することを抑制することができる。しかしながら、この方法は、主レンズの水平方向の実効レンズ口径と垂直方向の実効レンズ口径の差に応じて、水平方向の仮想物点径と垂直方向の仮想物点径とを決定した場合、主レンズに入射する電子ビームの水平方向のスポット径が拡大しすぎてしまい、電子ビーム通過孔を有する制御電極に衝突し易くなり、耐電圧特性が劣化する。また、カラーブラウン管装置の明るさを上げたい場合、電子ビームが各種の電極に衝突しやすければ、電子ビームによる電流を十分に増加させることができず、十分に明るくすることができなくなる。反対に、制御電極に電子ビームが衝突しない大きさの電子ビームのスポット径を確保するために、制御電極における電子ビーム通過孔の水平方向の長さとその垂直方向の長さとの差を縮小すれば、蛍光体スクリーン上において電子ビームの垂直方向のスポット径が拡大するという問題は解決できなくなる。すなわち、この方法では、主レンズの水平方向の実効レンズ口径を拡大し、一方、垂直方法の実効レンズ口径を縮小した主レンズに対する最適な電子ビームを形成することができない。
【特許文献１】特開２００１−３５７７９６号公報
【特許文献２】特開平１０−２８９６７１号公報
【発明の開示】
【発明が解決しようとする課題】
【００２０】
上述のように、カラーブラウン管の画質を良好にするためには、蛍光体スクリーンの全領域において、電子ビームの水平方向及び垂直方向のスポット径を小さくすることが必要である。しかしながら、上記の従来の技術を用いても、電子ビームの水平方向のスポット径と垂直方向のスポット径との双方を同時に小さくすることは困難であった。
【００２１】
そこで、本発明では、蛍光体スクリーン上の全領域において、水平方向のスポット径と垂直方向のスポット径とが共に局所的に大きくならず、水平方向のスポット径が従来の電子ビームより小さい電子ビームを用いることで、カラーブラウン管装置の画質を向上させる。
【課題を解決するための手段】
【００２２】
上記の課題を解決するために、本発明に係るカラーブラウン管装置は、フェースパネルとファンネルとを有するバルブと、フェースパネルの内面に設けられた蛍光体スクリーンと、バルブの内部に設けられ、水平方向に配列させたセンター電子ビーム及び一対のサイド電子ビームからなる３電子ビームを発生する電子ビーム発生部と、３電子ビームの進行方向に沿って電子ビーム発生部側から順次に配設されたフォーカス電極及びアノード電極と、フォーカス電極の内部に配設された第１の電界補正電極と、アノード電極の内部に配設された第２の電界補正電極とを有する電子銃と、ファンネルの外縁に設けられ、電子銃から射出する３電子ビームを偏向させる偏向器とを含むカラーブラウン管装置であって、フォーカス電極が、水平方向に長軸を有し、かつ垂直方向に短軸を有する３電子ビームに共通の非円形の開孔をアノード電極側の端部に有する筒状構造体であり、アノード電極が、水平方向に長軸を有し、かつ垂直方向に短軸を有する３電子ビームに共通の非円形の開孔をフォーカス電極側の端部に有する筒状構造体であり、フォーカス電極、第１の電界補正電極、アノード電極及び第２の電界補正電極が、フォーカス電極及び第１の電界補正電極へのフォーカス電圧の印加及びアノード電極及び第２の電界補正電極へのフォーカス電圧より高いアノード電圧の印加により、フォーカス電極の内部において垂直方向の集束力が水平方向の集束力より強く、かつアノード電極の内部において垂直方向の発散力が水平方向の発散力より強い、蛍光体スクリーン上に３電子ビームを集束させる主レンズを形成することを特徴とする。
【発明の効果】
【００２３】
本発明のカラー受像管であれば、蛍光体スクリーン上でとりわけ劣化の激しい電子ビームスポットを発生させることなく、蛍光体スクリーン全面で良好なフォーカス特性を得ることができる。
【発明を実施するための最良の形態】
【００２４】
上述のように、本発明のカラー受像管は、フェースパネルとファンネルとを有するバルブと、蛍光体スクリーンと、電子銃と、電子銃からの電子ビームを偏向させる偏向器とを含む構成である。本発明は、電子銃の電極構成に特徴を有するため、以下においては、電子銃の構成についてのみ説明する。なお、その他の部材は、公知のいかなる構成であってもよい。
【００２５】
本発明に係る電子銃は、主レンズとして、フォーカス電極及び第１の電界補正電極へのフォーカス電圧の印加、及び、アノード電極及び第２の電界補正電極へのフォーカス電圧より高いアノード電圧の印加により、フォーカス電極の内部において水平方向に垂直な垂直方向の集束力が水平方向の集束力より強く、かつアノード電極の内部において垂直方向の発散力が水平方向の発散力より強い電子レンズを備えている。この構成であれば、水平方向の実効レンズ口径を拡大することができる。したがって、蛍光体スクリーン上における電子ビームの水平方向のスポット径を小さくすることができる。一方、垂直方向の実効レンズ口径は若干小さくなが、この主レンズを通過した電子ビームの蛍光体スクリーン上の中央領域での水平方向のジャストフォーカス電圧と垂直方向のジャストフォーカス電圧とに大きな差は生じない。このため、水平方向のジャストフォーカス電圧と垂直方向のジャストフォーカス電圧との差に起因する電子ビームの垂直方向のスポット径の拡大を抑制することができる。なお、水平方向のジャストフォーカス電圧と垂直方向のジャストフォーカス電圧との差は、微少な電極寸法の設計変更によって容易に、一般的に必要である１００Ｖ〜１０００Ｖに最適化することができる。つまり、電子ビームの水平方向のスポット径を小さくできると共に、蛍光体スクリーンの全領域において、局所的な電子ビームの水平方向及び垂直方向のスポット径の拡大を抑制することができる。これにより、画質を向上させることができる。
【００２６】
本発明に係るカラーブラウン管装置では、第１の電界補正電極が、３電子ビームに対応して水平方向に配列させた３つの開孔を有し、フォーカス電極の内部において３電子ビームの進行方向を法線とする平面に平行に配置された板状電極であり、第１の電界補正電極における３つの開孔のうち前記一対のサイド電子ビームに対応する２つのサイド孔の各々の形状は、水平方向の開口最大径が垂直方向の開口最大径より大きい非円形であり、水平方向の開口最大径に対する垂直方向の開口最大径の比率を開口比率（垂直方向の開口最大径／水平方向の開口最大径）として、２つのサイド孔の各々の開口比率が、第１の電界補正電極における３つの開孔のうちセンター電子ビームに対応するセンター孔の開口比率より小さい構成とすることができる。この構成であれば、水平方向より垂直方向が急峻な浸透電界を形成するため、フォーカス電極の内部に、３電子ビームに共通な水平方向の集束力より垂直方向の集束力が強い４極子を有する集束レンズを形成することができる。また、センタービームに作用する電界と一対のサイドビームに作用する電界との相違を抑制することができる。
【００２７】
本発明に係るカラーブラウン管装置では、第２の電界補正電極が、アノード電極の内部において水平方向及び３電子ビームの進行方向を含む平面に平行に配置された一対の板状電極であり、一対の板状電極の間を３電子ビームが通過する構成とすることができる。この構成であれば、上記の集束レンズを構成することができる。この構成であれば、水平方向より垂直方向が急峻な浸透電界を形成するため、アノード電極の内部に、水平方向の発散力より垂直方向の発散力が強い４極子を有する発散レンズを形成することができる。
【００２８】
本発明に係るカラーブラウン管装置では、第２の電界補正電極が、３電子ビームに対応して水平方向に配列させた３つの開孔を有し、アノード電極の内部において３電子ビームの進行方向を法線とする平面に平行に配置された板状電極であり、第２の電界補正電極における３つの開孔のうち一対のサイド電子ビームに対応する２つサイド孔の各々の形状が、水平方向の開口最大径が垂直方向の開口最大径より大きい非円形であり、水平方向の開口最大径に対する垂直方向の開口最大径の比率を開口比率として、２つのサイド孔の各々の開口比率が、第２の電界補正電極における３つの開孔のうちセンター電子ビームに対応するセンター孔の開口比率より小さい構成とすることができる。この構成であれば、垂直方向の浸透電界が水平方向の浸透電界より急峻になるため、アノード電極の内部に、水平方向の発散力より垂直方向の発散力が強い４極子を有する発散レンズを形成することができる。また、センタービームに作用する電界と一対のサイドビームに作用する電界との相違を抑制することができる。
【００２９】
本発明に係るカラーブラウン管装置では、電子銃の電子ビーム発生部が、３電子ビームを放出するカソード電極と、３電子ビームに対応する３つの開孔を有し、カソード電極における３電子ビームの発生を制御する制御電極と、３電子ビームに対応する３つの開孔を有し、３電子ビームを加速する加速電極とを備え、制御電極が、加速電極側に、制御電極における３つの開孔の各々の周縁に１つずつ形成された３つの凹部を有し、加速電極へのフォーカス電圧より低い加速電圧の印加及び制御電極への加速電圧より低い制御電圧の印加により、主レンズに入射する３電子ビームの各々の断面形状を水平方向の最大径が垂直方向の最大径より大きい形状に成形する構成とすることができる。
【００３０】
この構成であれば、垂直方向の仮想物点径を小さくすることができる。垂直方向の仮想物点径を小さく形成すれば、主レンズの垂直方向の実効レンズ口径が小さく高倍率となるために、電子ビームの垂直方向のスポット径の拡大を抑制することができる。一方、水平方向の仮想物点径は大きくなるが、主レンズの水平方向の実効レンズ口径が大きいことに伴ってレンズ倍率が小さくなっているために、電子ビームの水平方向のスポット径の拡大も抑制される。また、この構成であれば、電子ビームの断面におけるビーム径の垂直方向が水平方向より小さくなるため、主レンズの垂直方向の実効レンズ口径が小さくなるという欠点を最小限に留め、かつ偏向収差の影響を最小限に留めることができる。つまり、主レンズを通過した電子ビームの垂直方向のビーム径が小さく保たれることにより、偏向器で発生させる偏向磁界による偏向収差の影響、つまりヘイズの発生を最小限にすることができる。したがって、電子銃のフォーカス性能を更に高めることができる。
【００３１】
本発明に係るカラーブラウン管装置では、制御電極が、３電子ビームの進行方向を法線とする平面に平行に配置された板状電極であり、制御電極における３つの開孔の各々が、垂直方向の長さより水平方向の長さが大きい形状であり、制御電極における３つの凹部の各々が、水平方向の長さより垂直方向の長さが大きい形状である構成とすることができる。この構成であれば、主レンズに入射する３電子ビームの各々を水平方向の最大径が垂直方向の最大径より大きい断面形状に成形することができる。
【００３２】
本発明に係るカラーブラウン管装置では、加速電極が、３電子ビームの進行方向を法線とする平面に平行に配置された板状電極であり、加速電極が、制御電極側に、加速電極における３つの開孔の各々の周縁に１つずつ形成された３つの凹部を有し、加速電極における３つの凹部の各々が、垂直方向の長さより水平方向の長さが大きい形状である構成とすることができる。この構成であれば、主レンズに入射する３電子ビームの各々を水平方向の最大径が垂直方向の最大径より大きい断面形状に更に良好に成形することができる。また、この構成であれば、垂直方向の発散角を小さくすることができるために、電子ビームの垂直方向のスポット径の拡大を抑制することができる。また、電子ビームの垂直方向の発散角を小さく抑えることによって、主レンズの垂直方向の実効レンズ口径が小さいことにより増加するレンズ収差を補償することができる。一方、水平方向の発散角は大きくなるが、主レンズの水平方向の実効レンズ口径が大きいことに伴ってレンズ収差が少なくなるために、電子ビームの水平方向のスポット径の拡大も抑制できる。なお、水平方向の発散角は、電子ビームが各種の電極に衝突しない程度に大きくすることが好ましい。
【００３３】
本発明に係るカラーブラウン管装置では、加速電極及びフォーカス電極が、フォーカス電極へのフォーカス電圧の印加及び加速電極への加速電圧の印加により、水平方向の集束力より垂直方向の集束力が大きい、３電子ビームを予備集束させるプリフォーカスレンズを形成する構成とすることができる。この構成であれば、主レンズに入射する３電子ビームの各々を水平方向の最大径が垂直方向の最大径より大きく、主レンズとのマッチングが良好な断面形状に成形することができる。
【００３４】
本発明に係るカラーブラウン管装置では、加速電極が、３電子ビームの進行方向を法線とする平面に平行に配置された板状電極であり、加速電極が、フォーカス電極側に、加速電極における３つの開孔の各々の周縁に１つずつ形成された垂直方向の長さより水平方向の長さが長い３つの凹部を有する構成とすることができる。この構成であれば、上記のプリフォーカスレンズを形成することができる。
【００３５】
本発明に係るカラーブラウン管装置では、フォーカス電極が、加速電極側の端部に形成された３電子ビームに対応する３つの開孔を有し、かつ加速電極側に、フォーカス電極の３つの開孔の各々の周縁に１つずつ形成された水平方向の長さより垂直方向の長さが長い３つの凹部を有する構成とすることができる。この構成であれば、上記のプリフォーカスレンズを形成することができる。
【００３６】
（実施の形態１）
本実施の形態１においては、水平方向及び３電子ビームの進行方向を含む平面に平行な一対の板状電極であり、一対の板状電極の間を３電子ビームが通過する構成の第２の電界補正電極を有する電子銃を備えたカラーブラウン管について、図１〜図６を参照しながら説明する。なお、電子銃の構成以外は、従来のカラーブラウン管と同一の構成であるため、その説明を省略する。
【００３７】
図１（ａ）は、電子銃の構造を表す模式的な水平断面図であり、図１（ｂ）は、電子銃の構造を表す模式的な垂直断面図である。図２は、電子銃の第１グリッドの構造を表す模式的な斜視図である。図３は、電子銃の第２グリッドの構造を表す模式的な斜視図である。図４は、電子銃の第３グリッド及び第１の電界補正電極の構造を部分的に表す模式的な半透視斜視図である。図５は、電子銃の第４グリッド及び第２の電界補正電極の構造を部分的に表す模式的な半透視斜視図である。図６は、カラーブラウン管装置における蛍光体スクリーン上における電子ビームのスポット形状を表す模式的な平面図である。
【００３８】
本実施の形態１の電子銃は、図１（ａ）及び図１（ｂ）に示されたように、３つのカソード（カソード電極）１７と、第１グリッド（制御電極）１１と、第２グリッド（加速電極）１２と、第３グリッド（フォーカス電極）１３と、第４グリッド（アノード電極）１４とを備えている。
【００３９】
３つのカソード１７の各々からは、水平方向に配列するセンタービームと一対のサイドビームとからなる３つの電子ビーム（３電子ビーム）が発生する。
【００４０】
第１グリッド１１は、図１（ａ）、図１（ｂ）及び図２に示されたように、電子ビームの進行方向を法線とする平面に平行に配置された板状電極である。第１グリッド１１には、水平方向の長さより垂直方向の長さの長い３つの矩形状の凹部１９が第２グリッド１２側に形成され、３つの凹部１９に１つずつ電子ビーム通過孔（開孔）１８が形成されている。なお、３つの電子ビーム通過孔１８の各々は、垂直方向の開口径より水平方向の開口径が大きな矩形状の開孔である。第１のグリッド１１は、カソード１７の水平方向から垂直方向よりも多くの電子を引き出すことができ、第３グリッド１３及び第４グリッド１４により形成される主レンズに対する水平方向の仮想物点径が大きく、垂直方向の仮想物点径が小さくなる構成である。更に、電子ビーム通過孔１８の水平方向には凹部１９の側壁が近隣に設けられているため、電子ビームの水平方向の発散角が極端に増加することを抑制する構成となる。また、電子ビーム通過孔１８の垂直方向には凹部１９の側壁が離れて設けられているため、垂直方向の発散角が極端に減少することを抑制する構成となる。
【００４１】
第２グリッド１２は、図１（ａ）、図１（ｂ）及び図３に示されたように、電子ビームの進行方向を法線とする平面に平行に配置された板状電極である。第２グリッド１２には、垂直方向の長さより水平方向の長さの長い３つの矩形状の凹部２９が第１グリッド１１側に形成され、３つの凹部２９に１つずつ電子ビーム通過孔（開孔）２８が形成されている。第２グリッド１２は、水平方向の発散角を増加させ、垂直方向の発散角を減少させる構成である。また、第３グリッド１３及び第４グリッド１４により形成される主レンズに対する水平方向の仮想物点径を縮小し、垂直方向の仮想物点径を拡大する構成である。
【００４２】
第１グリッド１１及び第２グリッド１２の双方の構成を調整して、水平方向の仮想物点径が垂直方向の仮想物点径より相対的に大きくなるようにし、水平方向の発散角が各種のグリッドの一部に電子ビームが衝突することのない大きさとなるようにし、また、垂直方向の発散角が、偏向収差の影響を少なくできかつ主レンズの実効レンズ口径の拡大による影響を少なくできる小さい角度となるように構成されている。なお、仮想物点径の変化については、第１グリッドの形状が支配的であり、発散角の変化については、第２グリッドの方が支配的である。
【００４３】
第３グリッド１３は、図１（ａ）、図１（ｂ）及び図４に示されたように、電子ビームの入射側の端部１３Ａに、３つの電子ビームに対応する３つの電子ビーム通過孔３８を有し、電子ビームの射出側の端部１３Ｂに、３つの電子ビームに共通であり、水平方向（電子ビームの配列方向）に長軸を有する長円形の電子ビーム通過孔５８を有する筒状構造体で構成されている。
【００４４】
第１の電界補正電極１５は、第３グリッド１３の内部に配置された板状電極である。第１の電界補正電極１５には、図１（ａ）、図１（ｂ）及び図４に示されたように、３電子ビームに対応する３つの電子ビーム通過孔（開孔）が水平方向に配列するように形成されている。第１の電界補正電１５における３つの開孔のうち一対のサイド電子ビームに対応するサイドの２つの電子ビーム通過孔４８Ｒ及び４８Ｂの形状は、水平方向の最大径が垂直方向の最大径より大きい非円形である。また、サイドの２つの電子ビーム通過孔４８Ｒ及び４８Ｂの各々の開口比が、センター電子ビームに対応するセンターの電子ビーム通過孔８８Ｇの開口比率より小さい構成である。
【００４５】
第４グリッド１４は、図１（ａ）、図１（ｂ）及び図５に示されたように、電子ビームの入射側の端部１４Ａに、３つの電子ビームに共通であり、水平方向に長軸を有する長円形の電子ビーム通過孔（開孔）６８を有し、電子ビームの射出側の端部１４Ｂに、３つの電子ビームに対応する３つの電子ビーム通過孔（開孔）７８を有する筒状構造体で構成されている。
【００４６】
第２の電界補正電極１６は、第４グリッド１４の内部に配置されている。第１の電界補正電極１６は、図１（ａ）、図１（ｂ）及び図４に示されたように、水平方向及び３つの電子ビームの進行方向を含む平面に平行な一対の板状電極（衝立状の電極）である。３つの電子ビームは、一対の板状電極の間を通過することとなる。
【００４７】
第３グリッド１３及び第１の電界補正電極１５にフォーカス電圧が印加され、かつ第４グリッド１４及び第２の電界補正電極１６にフォーカス電圧より高いアノード電圧が印加されると、主レンズは、第３グリッド１３の内部において水平方向に垂直な垂直方向の集束力が水平方向の集束力より強く、かつ第４グリッド１４の内部において垂直方向の発散力が水平方向の発散力より強い電子レンズとなる。
【００４８】
上記の構成の電子銃を用いた場合、図６に示されたように、コアの水平方向のスポット径が図１６に示された従来の構成の場合より小さくし、コアの垂直方向のスポット径が従来の構成の場合と同等とし、ヘイズの垂直方向のスポット径が従来の構成の場合より小さくすることができる。
【００４９】
ここで、より具体的な構成について記述する。この具体例は、ファンネルのネック径がφ２９ｍｍの場合である。第１グリッド１１には、水平方向の長さが０．７０ｍｍで、垂直方向の長さが０．５５ｍｍである矩形状の電子ビーム通過孔１８を形成し、水平方向の長さが０．８０ｍｍで、垂直方向の長さが２．００ｍｍである矩形状の凹部１９を形成する。第１グリッド１１側に水平方向の長さが２．００ｍｍで、垂直方向の長さが０．７５ｍｍである矩形状の凹部２９を形成する。第３グリッド１３には、電子ビームの射出側の端部１３Ｂに、水平方向の最大径が１９．２０ｍｍで、垂直方向の最大径が８．２０ｍｍである電子ビーム通過孔５８を形成する。第１の電界補正電極１５には、水平方向の最大径が４．７０ｍｍで、垂直方向の最大径が４．８０ｍｍである中央の電子ビーム通過孔４８Ｇを形成し、水平方向の最大径が６．５０ｍｍで、垂直方向の最大径が４．９０ｍｍであるサイドの電子ビーム通過孔４８Ｒ及び４８Ｂを形成する。第４グリッド１４には、電子ビームの射出側の端部１４Ｂに、水平方向の最大径が１９．２０ｍｍで、垂直方向の最大径が８．２０ｍｍである電子ビーム通過孔６８を形成する。また、第２の電界補正電極１６には、幅が１５．００ｍｍで、衝立間隔が６．５０ｍｍである一対の板状電極が形成される。この構成であれば、蛍光体スクリーンの中央に到達電子ビームの水平方向のジャストフォーカス電圧と垂直方向のジャストフォーカス電圧の差を１００Ｖ〜１０００Ｖの範囲内にすることができる。
【００５０】
この具体例の電子銃では、作動時において、カソード１７に約１５０Ｖの電圧が印加され、第１グリッド１１は電気的に接地され、第２グリッド１２には約６００Ｖが印加される。第３グリッド１３には約８ｋＶが印加される。第４グリッド１４には約３０ｋＶの高電圧が印加される。
【００５１】
（実施の形態２）
本実施の形態２においては、３電子ビームに対応する３つの開孔を有する板状電極である第２の電界補正電極を有する電子銃を備えたカラーブラウン管装置について、図７及び図８を参照しながら説明する。なお、電子銃における第２の電界補正電極の構成以外は、上記の実施の形態１のカラーブラウン管装置と同一の構成であるため、同一の構成部材には同一の参照符号を付してその説明を省略する。
【００５２】
図７（ａ）は、電子銃の構造を表す模式的な水平断面図であり、図７（ｂ）は、電子銃の構造を表す模式的な垂直断面図である。また、図８は、第４グリッド及び第２の電界補正電極の構造を部分的に表す模式的な半透視斜視図である。
【００５３】
第２の電界補正電極２６は、第４グリッド１４の内部に配置された板状電極である。第１の電界補正電極２６には、図７（ａ）、図７（ｂ）及び図８に示されたように、３電子ビームに対応する３つの電子ビーム通過孔（開孔）８８Ｒ、８８Ｇ及び８８Ｂが水平方向に配列するように形成されている。第２の電界補正電極２６における３つの開孔のうち一対のサイド電子ビームに対応するサイドの２つの電子ビーム通過孔８８Ｒ及び８８Ｂの形状は、水平方向の最大径が垂直方向の最大径より大きい非円形である。また、サイドの２つの電子ビーム通過孔８８Ｒ及び８８Ｂの各々の開口比率が、センター電子ビームに対応するセンターの電子ビーム通過孔８８Ｇの開口比率より小さい構成である。
【００５４】
具体的には、第２の電界補正電極２６には、水平方向の最大径が４．７０ｍｍで、垂直方向の最大径が４．８０ｍｍである中央の電子ビーム通過孔４８Ｇを形成し、水平方向の最大径が６．５ｍｍで、垂直方向の最大径が４．９ｍｍであるサイドの電子ビーム通過孔４８Ｒ及び４８Ｂを形成する。
【００５５】
上記の第１の実施の形態の場合と同様に、第３グリッド１３及び第１の電界補正電極１５にフォーカス電圧が印加され、第４グリッド１４及び第２の電界補正電極１６にフォーカス電圧より高いアノード電圧が印加されると、主レンズは、第３グリッド１３の内部において水平方向に垂直な垂直方向の集束力が水平方向の集束力より強く、かつ第４グリッド１４の内部において垂直方向の発散力が水平方向の発散力より強い電子レンズとなる。したがって、上記の実施の形態１と同様の効果を奏する。
【００５６】
ここで、上記の実施の形態１及び２と異なる構成のカラーブラウン管装置について、図９及び図１０を参照しながら説明する。図９は、第１の変形例の電子銃における第２グリッドの構造を表す模式的な斜視図である。図１０は、第２の変形例の電子銃における第３グリッドの構造を表す模式的な斜視図である。
【００５７】
上記の実施の形態１及び２においては、図１（ａ）、図１（ｂ）、図７（ａ）及び図７（ｂ）に示されたように、第２グリッド１２における凹部２９が第１グリッド１１側に設けられていたが、凹部２９に代えて、図９に示されたように、第３グリッド１３側に垂直方向の長さより水平方向の長さの長い凹部３９を設けた構成（第１の変形例）とすることができる。この構成であっても、プリフォーカスレンズの水平方向の集束力より垂直方向の集束力が強い非点収差を形成することができるため、上記の実施の形態１及び２の場合と同様の効果を奏する。
【００５８】
また、上記の実施の形態１及び２においては、図１（ａ）、図１（ｂ）図７（ａ）及び図７（ｂ）に示されたように、第３グリッド１３の入射側の端部１３Ａに３つの電子ビーム通過孔３８のみを設けたが、図１０に示されたように、３電子ビームに対応する水平方向の長さより垂直方向の長さの長い３つの凹部４９を第２グリッド側に更に形成した構成とすることができる。なお、図１０に示された第３グリッド２３の３つの電子ビーム通過孔３８は、３つの凹部４９に１つずつ形成されている。この構成であっても、プリフォーカスレンズの水平方向の集束力より垂直方向の集束力が強い非点収差を形成することができるため、上記の実施の形態１及び２の場合と同様の効果を奏する。
【産業上の利用可能性】
【００５９】
本発明は、カラーブラウン管装置において、蛍光体スクリーン上の全領域を、水平方向のスポット径と垂直方向のスポット径とが共に局所的に大きくならず、水平方向のスポット径が従来の電子ビームのスポット径より小さい電子ビームで走査させ、画質を向上させるために利用できる。
【図面の簡単な説明】
【００６０】
【図１】図１（ａ）は、実施の形態１に係る電子銃の構造を表す模式的な水平断面図であり、図１（ｂ）は、実施の形態１に係る電子銃の構造を表す模式的な垂直断面図である。
【図２】図２は、実施の形態１に係る電子銃における第１グリッドの構造を表す模式的な斜視図である。
【図３】図３は、実施の形態１に係る電子銃における第２グリッドの構造を表す模式的な斜視図である。
【図４】図４は、実施の形態１に係る電子銃における第３グリッド及び第１の電界補正電極の構造を部分的に表す模式的な半透視斜視図である。
【図５】図５は、実施の形態１に係る電子銃における第４グリッド及び第２の電界補正電極の構造を部分的に表す模式的な半透視斜視図である。
【図６】図６は、実施の形態１に係るカラーブラウン管装置における蛍光体スクリーン上における電子ビームのスポット形状を表す模式的な平面図である。
【図７】図７（ａ）は、実施の形態２に係る電子銃の構造を表す模式的な水平断面図であり、図７（ｂ）は、実施の形態２に係る電子銃の構造を表す模式的な垂直断面図である。
【図８】図８は、実施の形態２に係る電子銃における第４グリッド及び第２の電界補正電極の構造を部分的に表す模式的な半透視斜視図である。
【図９】図９は、本発明の変形例の電子銃における第２グリッドの構造を表す模式的な斜視図である。
【図１０】図１０は、本発明の変形例の電子銃における第３グリッドの構造を部分的に表す模式的な半透視斜視図である。
【図１１】図１１は、従来のカラーブラウン管装置の全体構造を表す模式的な水平断面図である。
【図１２】図１２（ａ）が、従来の電子銃の全体構造を表す模式的な水平断面図であり、１２図（ｂ）が、従来の電子銃の全体構造を表す模式的な垂直断面である。
【図１３】図１３は、従来の電子銃における第３グリッドの構造を部分的に表す模式的な半透視斜視図である。
【図１４】図１４は、従来の電子銃における第４グリッドの構造を部分的に表す模式的な半透視斜視図である。
【図１５】図１５は、従来のカラーブラウン管装置における蛍光体スクリーン上における電子ビームのスポット形状を表す模式的な平面図である。
【図１６】図１６は、従来の電子銃における第２グリッドの構造を表す模式的な斜視図である。
【符号の説明】
【００６１】
１    フェースパネル
２    ファンネル
３    シャドウマスク
４    蛍光体スクリーン
５    ネック
６    電子銃
７Ｒ  赤色蛍光体層用の電子ビーム
７Ｇ  緑色蛍光体層用の電子ビーム
７Ｂ  青色蛍光体層用の電子ビーム
８    偏向ヨーク
１１，１１１  第１グリッド（制御電極）
１２，１１２  第２グリッド（加速電極）
１３，１１３  第３グリッド（フォーカス電極）
１４，１１４  第４グリッド（アノード電極）
１５，１２５  第１の電界補正電極
１６，２６，１２６  第２の電界補正電極
１７，１１７  カソード（カソード電極）
１８，２８，３８，４８，５８，６８，７８，８８  電子ビーム通過孔（開孔）
１４８，１８８  電子ビーム通過孔（開孔）
１９，２９，１２９  凹部
【図１】
2005332675.tif 000003
【図２】
2005332675.tif 000004
【図３】
2005332675.tif 000005
【図４】
2005332675.tif 000006
【図５】
2005332675.tif 000007
【図６】
2005332675.tif 000008
【図７】
2005332675.tif 000009
【図８】
2005332675.tif 000010
【図９】
2005332675.tif 000011
【図１０】
2005332675.tif 000012
【図１１】
2005332675.tif 000013
【図１２】
2005332675.tif 000014
【図１３】
2005332675.tif 000015
【図１４】
2005332675.tif 000016
【図１５】
2005332675.tif 000017
【図１６】
2005332675.tif 000018